(57)【要約】【課題】  適切な空燃比を探し当てて確実な着火を行うバーナ着火システム及びその着火制御方法を提供すること。【解決手段】  バーナ３内に空気を送り込む送風機２４と燃焼用燃料のバーナ内への送り込みを調整する流調弁２３と、その送風機などの制御を行うコントローラ２１とを有し、プラグがスパーク作動する中に空気と燃焼用燃料を送り込んで着火させるものであって、コントローラ２１は、着火に際して一定の燃料流量で燃焼用燃料がバーナへ送り込まれるように流調弁２３の開度を操作し、その燃料流量に対し着火に適した所定の空気流量の空気を送り出す送風機２４の操作状態が基準状態として予め記憶され、その基準着火状態で送り出される空気流量の値を含んで空気流量が変化するように所定の操作幅内で送風機２４を操作するようにしたバーナ着火システム。【選択図】        図２
2005265272.tif 000002
【特許請求の範囲】
【請求項１】
バーナ内に空気を送り込む送風機と、その空気とともに燃料供給源からの燃焼用燃料をバーナ内への送り込みを調整する流調弁と、その送風機、流調弁および前記プラグのスパーク動作させる点火トランスの制御を行うコントローラとを有し、プラグがスパーク作動する中に空気と燃焼用燃料を送り込んで着火させるバーナ着火システムにおいて、
前記コントローラは、着火に際して一定の燃料流量で燃焼用燃料がバーナへ送り込まれるように前記流調弁の開度を操作し、その燃料流量に対し着火に適した所定の空気流量の空気を送り出す前記送風機の操作状態が基準状態として予め記憶され、その基準着火状態で送り出される空気流量の値を含んで空気流量が変化するように所定の操作幅内で前記送風機を操作するようにしたものであることを特徴とするバーナ着火システム。
【請求項２】
請求項１に記載するバーナ着火システムにおいて、
前記コントローラは、着火動作毎に着火した時の前記送風機の操作状態を新たな基準状態として更新設定するようにしたものであることを特徴とするバーナ着火システム。
【請求項３】
請求項１又は請求項２に記載するバーナ着火システムにおいて、
前記コントローラは、前記送風機の操作幅を段階的に広くし、その操作幅毎に空気流量を変化させるようにしたものであることを特徴とするバーナ着火システム。
【請求項４】
請求項１乃至請求項３のいずれかに記載するバーナ着火システムにおいて、
前記コントローラは、前記操作幅を段階的に広げるようにして前記送風機を操作するようにしたものであることを特徴とするバーナ着火システム。
【請求項５】
請求項１乃至請求項４のいずれかに記載するバーナ着火システムにおいて、
前記コントローラは、前回の着火時点からの時間を計測し、所定の時間内であれば通常設定されている前記操作幅を狭め、その操作幅内で前記送風機を操作するようにしたものであることを特徴とするバーナ着火システム。
【請求項６】
請求項１乃至請求項５のいずれかに記載するバーナ着火システムにおいて、
前記コントローラは、前記操作幅内で送風機を操作する場合に、燃焼用燃料の質量流量と空気の質量流量との違いを考慮した温度補正をかけて操作するようにしたものであることを特徴とするバーナ着火システム。
【請求項７】
プラグがスパーク作動するバーナ内に送風機からの空気と燃料供給源からの燃焼用燃料を送り込んで着火させるバーナ着火システムの着火制御方法であって、
着火に際して送り込まれる前記燃焼用燃料の所定の燃料流量に対し、着火に適した所定の空気流量の空気を送り出す前記送風機の操作状態を基準状態として予め設定しておき、その基準着火状態で送り出される空気流量の値を含んで空気流量が変化するように所定の操作幅内で前記送風機を操作することにより、着火時に一定の燃料流量で送り込まれる燃焼用燃料に対して空気の空気流量を変化させることで空燃比を調節しながら着火させるようにしたことを特徴とするバーナ着火システムの着火制御方法。
【請求項８】
請求項７に記載するバーナ着火システムの着火制御方法において、
着火した時の送風機の操作状態を新たな基準状態として着火動作毎に更新設定するようにしたことを特徴とするバーナ着火システムの着火制御方法。
【請求項９】
請求項７又は請求項８に記載するバーナ着火システムの着火制御方法において、
前記送風機の操作幅を段階的に広くし、その操作幅毎に空気流量を変化させるようにしたものであることを特徴とするバーナ着火システムの着火制御方法。
【請求項１０】
請求項７乃至請求項９のいずれかに記載するバーナ着火システムの着火制御方法において、
前記操作幅を段階的に広げるようにして前記送風機を操作するようにしたことを特徴とするバーナ着火システムの着火制御方法。
【請求項１１】
請求項７乃至請求項１０のいずれかに記載するバーナ着火システムの着火制御方法において、
前回の着火時点からの時間を計測し、所定の時間内であれば通常設定されている前記操作幅を狭め、その操作幅内で前記送風機を操作するようにしたことを特徴とするバーナ着火システムの着火制御方法。
【請求項１２】
請求項７乃至請求項１１のいずれかに記載するバーナ着火システムの着火制御方法において、
前記操作幅内で送風機を操作する場合に、燃焼用燃料の質量流量と空気の質量流量との違いを考慮した温度補正をかけて操作するようにしたことを特徴とするバーナ着火システムの着火制御方法。
【発明の詳細な説明】
【技術分野】
【０００１】
本発明は、温度や湿度、それに大気圧などの状況変化によって着火に適切な空燃比が予め設定された基準値からずれてしまった場合にでも、現状において適切な空燃比を探し当てて確実な着火を行うことができるようにしたバーナ着火システム及びその着火制御方法に関する。
【背景技術】
【０００２】
ガスバーナの着火を確実に行うためには、点火時の空燃比を適切に合わせることがポイントとなる。燃焼用の燃料となる都市ガスなどの供給圧や送風機からの空気流量は、気温や湿度、それに大気圧などの環境変化によって変化してしまう。また、空気流量の変化は、環境変化以外にも経時変化によって送風機の能力や流路の圧損が変化することなどによっても起こり得る。そのため、ガスバーナを一定の条件で運転制御していても、このようなことが原因で適切な空燃比が変化してしまい確実に着火できるとは限らない。そこで、バーナを確実に着火させるため、従来から空燃比を適切に合わせる様々な装置及び方法が提案されている。その一例として例えば下記の特許文献１〜３を挙げることができる。
【０００３】
特許文献１には、ファンの回転数を検出して着火前の状況に応じて制御目標となる回転数に変化させ、実際に点火する時の風量を一定に保ち常に点火良好域に設定する装置が提案されている。また、特許文献２には、風速センサを用いて燃焼用空気の実際の風量を検出し、その検出風量がバーナ部への燃料供給量に対応する目標風量になるように、ファンの能力を調整することにより、ファンの排気路詰り等の外乱に起因する風量低下を回避して、バーナ部へ供給する実際の風量を目標風量に自動調整するようにした装置が提案されている。更に、特許文献３には、点火作動にかかわらず設定時間内に着火が検出されない場合には、着火制御手段が点火用空燃比の調節状態を補正して点火手段の再点火作動を実行させ、設置条件の違いや使用条件の変化にかかわらず点火不良の発生を防止する装置が提案されている。
【特許文献１】特開２００１−２２７７４３号公報（第３頁、図２）
【特許文献１】特開２０００−１０４９２１号公報（第３頁、図１）
【特許文献１】特開平０９−１７８１６７号公報（第３−４頁、図２）
【発明の開示】
【発明が解決しようとする課題】
【０００４】
しかしながら、このような従来から提案されている装置やその制御方法は、いずれも点火時の空燃比を適切に合わせて確実な着火を行うための方法として有効なものではなかった。例えば、特許文献１のものでは、ファンの回転数を検出するセンサが必要となってコスト高となる問題がある上に、ファンの回転数だけでは温度や湿度変化に伴う空気流量の変化を適切に検出できないため、結果的に点火時の空燃比を適切に合わせることができなかった。また、特許文献２のものでは、風速センサを用いて風量を検出しているものの、着火時には流量センサを無視した動作をすることになっているため、着火時の空燃比を適切に合わせ込むことが困難であった。更に、特許文献３のものでは、学習的に空燃比を合わせる試みがなされているものの、燃料リッチなのか逆に燃料リーンなのかを交互に試すことで合わせ込みを行うため、着火ミスを何度も繰り返すという欠点があった。また、従来の制御方法などでは、空燃比を合わせるために流量センサなどが必要であったためコスト高でもあった。
【０００５】
そこで、本発明は、かかる課題を解決すべく、適切な空燃比を探し当てて確実な着火を行うバーナ着火システム及びその着火制御方法を提供することを目的とする。
【課題を解決するための手段】
【０００６】
本発明のバーナ着火システムは、バーナ内に空気を送り込む送風機と、その空気とともに燃料供給源からの燃焼用燃料をバーナ内への送り込みを調整する流調弁と、その送風機、流調弁および前記プラグのスパーク動作させる点火トランスの制御を行うコントローラとを有し、プラグがスパーク作動する中に空気と燃焼用燃料を送り込んで着火させるものであって、前記コントローラは、着火に際して一定の燃料流量で燃焼用燃料がバーナへ送り込まれるように前記流調弁の開度を操作し、その燃料流量に対し着火に適した所定の空気流量の空気を送り出す前記送風機の操作状態が基準状態として予め記憶され、その基準着火状態で送り出される空気流量の値を含んで空気流量が変化するように所定の操作幅内で前記送風機を操作するようにしたものであることを特徴とする。
【０００７】
また、本発明のバーナ着火システムは、前記コントローラが、着火動作毎に着火した時の前記送風機の操作状態を新たな基準状態として更新設定するようにしたものであることを特徴とする。
また、本発明のバーナ着火システムは、前記コントローラが、前記送風機の操作幅を段階的に広くし、その操作幅毎に空気流量を変化させるようにしたものであることを特徴とする。
【０００８】
また、本発明のバーナ着火システムは、前記コントローラが、前記操作幅を段階的に広げるようにして前記送風機を操作するようにしたものであることを特徴とする。
また、本発明のバーナ着火システムは、前記コントローラが、前回の着火時点からの時間を計測し、所定の時間内であれば通常設定されている前記操作幅を狭め、その操作幅内で前記送風機を操作するようにしたものであることを特徴とする。
また、本発明のバーナ着火システムは、前記コントローラが、前記操作幅内で送風機を操作する場合に、燃焼用燃料の質量流量と空気の質量流量との違いを考慮した温度補正をかけて操作するようにしたものであることを特徴とする。
【０００９】
一方、本発明に係るバーナ着火システムの着火制御方法は、プラグがスパーク作動するバーナ内に送風機からの空気と燃料供給源からの燃焼用燃料を送り込んで着火させるための方法であって、着火に際して送り込まれる前記燃焼用燃料の所定の燃料流量に対し、着火に適した所定の空気流量の空気を送り出す前記送風機の操作状態を基準状態として予め設定しておき、その基準着火状態で送り出される空気流量の値を含んで空気流量が変化するように所定の操作幅内で前記送風機を操作することにより、着火時に一定の燃料流量で送り込まれる燃焼用燃料に対して空気の空気流量を変化させることで空燃比を調節しながら着火させるようにしたことを特徴とする。
【００１０】
また、本発明に係るバーナ着火システムの着火制御方法は、着火した時の送風機の操作状態を新たな基準状態として着火動作毎に更新設定するようにしたことを特徴とするバーナ着火システムの着火制御方法。
また、本発明に係るバーナ着火システムの着火制御方法は、前記送風機の操作幅を段階的に広くし、その操作幅毎に空気流量を変化させるようにしたものであることを特徴とする。
【００１１】
また、本発明に係るバーナ着火システムの着火制御方法は、前記操作幅を段階的に広げるようにして前記送風機を操作するようにしたことを特徴とする。
また、本発明に係るバーナ着火システムの着火制御方法は、前回の着火時点からの時間を計測し、所定の時間内であれば通常設定されている前記操作幅を狭め、その操作幅内で前記送風機を操作するようにしたことを特徴とする。
また、本発明に係るバーナ着火システムの着火制御方法は、前記操作幅内で送風機を操作する場合に、燃焼用燃料の質量流量と空気の質量流量との違いを考慮した温度補正をかけて操作するようにしたことを特徴とする。
【発明の効果】
【００１２】
本発明のバーナ着火システム及びその着火制御方法によれば、着火に際して送り込まれる燃焼用燃料の所定の燃料流量に対し、着火に適した所定の空気流量の空気を送り出す送風機の操作状態を基準状態として予め設定しておき、その基準着火状態で送り出される空気流量の値を含んで空気流量が変化するように所定の操作幅内で送風機を操作することにより、着火し易い基準状態の空気流量をまたいだ周辺で空気流量を変化させて空燃比を調節しているため、気温や大気圧などの変化によって流調弁や送風機の操作状態と流量との関係がくるってしまっても、一定の燃料流量に対して変化する空気流量が合わせ込まれることにより適切な空燃比が探し出されて着火が生じる。
よって、送風機からの空気の空気流量を変化させることで、適切な空燃比を探し当てて確実な着火を行うことができるようになった。しかも、センサを用いることなく着火制御を行っている点で安価に提供することができた。
【発明を実施するための最良の形態】
【００１３】
次に、本発明に係るバーナ着火システム及びその着火制御方法の一実施形態について、図面を参照しながら以下に説明する。本実施形態では、燃料電池を構成する燃料改質器に使用されるバーナを例に挙げてそのバーナ着火システム及びその着火制御方法について説明する。図１は、その燃料改質器を示した概念図であり、先ずこの燃料改質器について簡単に説明する。
【００１４】
燃料改質器１は、改質触媒９が充填された改質部２を有し、その改質部２は、矢印で示すように外側の流入口から流入した改質原料が内側に回り込み、水蒸気改質反応によって改質された改質ガスが上方の排出口から熱交換器３へと流れるように、筒体が組み付けられて流路が形成されている。また、そうした改質部２の内側には、図示するようにバーナ３の燃料ガス管４が下方から挿入できるように凹形の燃焼室５を有し、燃焼ガス管４が挿入された改質部２の外側には断熱壁６が設けられている。そのため、その断熱壁６と改質部２との間には、燃焼室５内で改質部２を加熱した燃焼ガスが流れ出る排ガス流路７が形成されている。
【００１５】
そして、その断熱壁６に排気口６ａが形成され、そこには改質に利用された高温の燃焼ガスを改質原料に混合させる水蒸気をつくるための蒸発器８へと送る排ガスライン３３が接続されている。本実施形態では、バーナ３の着火確認を行うため、燃焼ガスが流れる排ガス流路７内の温度を検出する熱電対１１が設置されており、また着火後の温度制御を行うために使用される熱電対１３が改質部２内に設けられている。
【００１６】
この燃料改質器１では、水素リッチな改質ガスを生成するため、改質原料としてメタン等の炭化水素系燃料が水蒸気と共に熱交換器３を介して改質部２へ送り込まれる。従って、改質原料を送り込む原料供給ライン３１には、蒸発器８に水を送ってできた水蒸気を供給する水蒸気供給ライン３２が接続されている。
また、炭化水素系ガスの改質反応を促進させるには、燃焼ガスによって通常６００℃以上の高温に加熱する必要がある。そのため、この燃料改質器１では、改質部２から排出された高温の改質ガスを熱交換器３に通すことで、熱交換によって予め改質原料に予熱を与え得るようにしている。
【００１７】
従って、燃料改質器１では、メタン等の改質原料が水蒸気と混合された状態で熱交換器３を通り、そこで予熱が与えられた状態で改質部２へと導入される。改質部２ではバーナ３によって燃焼室５が加熱されて改質部２内に充填された改質触媒９が６５０℃程度に加熱されている。そして、この加熱された改質触媒９を通って流れた改質原料が水素と一酸化炭素に分解される。その後、改質ガスは熱交換器３を通って新たに改質部２へ送り込まれる改質原料との間で熱交換を行い、シフト部１０へと流れ、銅・亜鉛系触媒より成るシフト部１０において水素リッチなガスとして排出される。すなわち、改質部２では主に次式（１）の水蒸気改質反応が行われ、シフト部１０では次式（２）のシフト反応に供することにより水素リッチな改質ガスが生成される。
ＣＨ4＋Ｈ2Ｏ→３Ｈ2＋ＣＯ   …（１）
ＣＯ ＋Ｈ2Ｏ→Ｈ2  ＋ＣＯ2  …（２）
【００１８】
次に図２は、バーナ３の着火制御システムを示したブロック図である。燃料改質器１には、各部を操作するコントローラ１５が設けられ、そこには本実施形態の着火制御方法を実行するための着火制御プログラムが格納されている。
コントローラ２１には、ガス流路７内の熱電対１１と改質部２内の熱電対１３が接続され、図１に示す排ガス流路７内の燃焼ガスを検知したその温度信号がコントローラ２１に入力されるようになっている。一方、着火制御プログラムに従って着火制御方法を実行するため、コントローラ２１には点火トランス２２を介してバーナ３の点火プラグ１２が接続され、その他にもバーナ３に燃焼用燃料への供給を制御するガス流調弁２３や、バーナ３へ燃焼用空気を送り込む空気ファン２４が接続されている。そのガス流調弁２３は弁開度を調節可能な比例制御弁であり、空気ファン２４は送り出す空気流量を調節する開閉可能な流量調整機能を有している。
【００１９】
図３は、こうしたバーナ着火システムにおいて実行される着火制御方法を概念的に示した図であり、制御対象となる空気ファン２４などの基本タイミングチャートである。
すなわち、本実施形態の着火制御方法では、空気ファン２４からバーナ３へは燃焼用空気が送り込まれている状態で、点火トランス２２の出力により点火プラグ１２に高電圧をかけて火花を飛ばし続けられる。その後、送り込まれている燃焼用空気中に燃焼用燃料が混合され、飛び続ける火花の中に予混合ガスとなって供給される。このとき特に、図示するように燃焼用燃料が一定の燃料流量で送り込むのに対し、空気ファン２４の開度をある操作幅内において空気流量が徐々に減少するようにして空燃比の調節を行っている。本実施形態では、こうして運転時の環境に合わせた適切な空燃比を探し当てて確実な着火を行うようにしている。具体的な着火制御方法について、図４にフローチャートを示して更に詳しく説明する。
【００２０】
先ず、着火指令があると（Ｓ１００）、どれだけの流量の空気を流すかを確認するため、空気ファン２４の開度などの初期設定値が読み出される（Ｓ１０１）。初期設定値は、空気ファン２４の基準着火開度Ｖの他、開度倍率C1，C2、点火時間Ｔであり、コントローラ２１の記憶装置に格納されている。
ここで、基準着火開度Ｖは、一定流量で供給される燃焼用燃料に対して適切な空燃比となる空気流量を供給する空気ファン２４の開度であり、バーナ３の着火動作の際に探し出された最適値がその都度書き換えられて設定される。開度倍率C1，C2は、図３に示すように空気ファン２４の開度を変化させる場合の操作幅を決定する値であり、本実施形態では、基準着火開度Ｖを中心に所定の割合だけ上下させた幅をとっている。
【００２１】
開度倍率C1，C2はの初期設定値は、「C1＝１．２」で「C2＝０．８」である。従って、空気ファン２４の開度は、基準着火開度Ｖの１．２倍の状態から０．８倍の状態までの、上下２０パーセントの幅で開度を変化させた運転が行われる。更に、上下２０パーセントの幅で着火しなかった場合には、後述するようにC1，C2の値を１．３と０．７に切り換え、基準着火開度Ｖの上下３０パーセントの幅で開度を変化させた運転が行われるように設定されている。
また、本実施形態では、こうした所定幅で開度を変化させた着火を３回ずつ繰り返すようして、繰り返し数Ｎをカウントするようにしている。そこで初期設定値の読み出し（Ｓ１０１）では、この繰り返し数Ｎを０にする（ゼロクリア）。
【００２２】
初期設定値を読み出されると、次にコントローラ２１からのＤＣ出力によって空気ファン２４の開度が駆動調節される（Ｓ１０２）。本実施形態では、基準着火開度Ｖに開度倍率C1を掛けた１．２倍の開度が初期状態であり、ここから空気ファン２４の開度を絞って空気流量を徐々に減少させるようにする。
空気ファン２４が初期状態に設定されると、その状態のまま空気が流路３１へ送り込まれ（図３参照）、バーナ３及び改質部２を通ってパージが行われる（Ｓ１０３）。燃焼範囲に可燃ガスが残っていると、点火の際に爆発的に火がついてしまって危険な状態に陥ることが考えられるからである。
【００２３】
パージが行われると、次に空気ファン２４から空気が送り込まれた状態で、コントローラ２１から点火トランス２２に交流電流が流されて点火トランス２２が動作する（Ｓ１０４）。そのため、点火プラグ１２では点火トランスがかけられて火花が連続的に飛ぶスパーク動作が実行される。そして、点火プラグ１２でスパーク動作が開始されると、一定時間間隔（１秒や２秒ほど）をおいた後（Ｓ１０５）、コントローラ２１からガス流調弁２３にＤＣ出力が送られて弁が一定開度で開けられる（Ｓ１０６）。
【００２４】
そのため、燃焼用燃料が空気ファン２４からの空気が流れる流路３１へ送り込まれ、空気と燃焼用燃料とが混合された予混合ガスがバーナ３の点火部へ噴出される。こうして燃焼用燃料の供給のタイミングを点火トランス２２の駆動より遅らせているのは、点火プラグ１２のスパークが後になると、燃焼用燃料の存在するところへ火花が飛ぶことになり、爆発的に火が着く危険があるから、逆に火花が飛んでいる所へ燃料を送るようにするためである。なお、本実施形態で使用される燃焼用燃料は都市ガス１３Ａである。
そして、再び一定時間間隔（１秒や２秒ほど）をおいた後（Ｓ１０７）、時間のカウントが開始され（Ｓ１０８）、そのカウント時間が初期設定値として読み出した点火時間Ｔを超えていない場合には（Ｓ１０９：ＮＯ）、次の動作が繰り返される。
【００２５】
すなわち、空気ファン２４の開度が操作幅内で変えられ（変化する空気ファン２４の開度を操作開度Ｆとする）、バーナ３へ供給される空気流量が減少していく（Ｓ１１０）。一方、ガス流調弁２３を介して供給される燃焼用燃料の流量は、変化することなく一定に保たれている。従って、空気流量の変化により、バーナ３へ供給される予混合ガスの空燃比が変化していく。こうして、空燃比を調整して着火を試みる１回の点火時間Ｔは例えば１０秒である。空気ファン２４の操作開度Ｆは、次式に従い、図３に示すように基準着火開度Ｖの上下２０パーセントの操作幅の間を点火時間Ｔで変化する。
【数１】
2005265272.tif 000003
【００２６】
こうした操作開度Ｆの制御では、空気ファン２４から送り出される空気流量が、一定の燃料流量に対して好ましい空燃比とされる基準着火開度Ｖにおける空気流量をまたいで変化する。そのため、着火の動作の間に変化していく空気流量によって、気温などの違いで基準着火開度Ｖにおける空気流量にズレが生じていても、その前後の最も火が着きやすい空気流量の送り込み時に着火が起こる。
つまり、気温や湿度、気圧などが異なると空気ファン２４やガス流調弁２３の開度が同じでも空気流量や燃料流量が変わってしまうが、こうした空気流量の調節によって適切な空燃比を探しだすことで確実に着火させることができる。
【００２７】
この着火制御方法では、空気ファン２４の操作開度Ｆは時間のカウントにともない変化し、その度に着火の確認が行われる（Ｓ１１１）。そこで、点火時間Ｔの間に着火しなかった場合、すなわち基準着火開度Ｖの上下２０パーセントの間で空気流量を変化させて空燃比を調節しても着火が生じなかった場合は（Ｓ１０９：ＹＥＳ）、一定時間間隔（１秒や２秒ほど）の後に（Ｓ１１２）、再び着火確認が行われる（Ｓ１１３）。
着火確認（Ｓ１１１／Ｓ１１３）は、着火が起きた場合には図１に示す排ガス流路７内に高温の燃焼ガスが流れるため、これを熱電対１１からの検知信号によってコントローラ２１で判断する。
【００２８】
本実施形態では、着火が確認できなかった場合には操作開度Ｆの調節を同じ操作幅で３回繰り返す。例えば、燃焼用燃料として利用する都市ガスが、燃料電池を運転させる時間間隔が長くなってしまうと、元弁から燃料改質器１までの配管内のガスが抜けて空気と入れ替わってしまうことがあり、するとその配管内の空気がガスに置換されるまでは着火しないからである。
【００２９】
従って、１回目で着火しなかった場合には（Ｓ１１３：ＮＯ）、ガス流調弁２３を一旦閉じ（Ｓ１１４）、繰り返し数Ｎに１プラスして（Ｓ１１５）、Ｎ＝３になったか否かが確認される（Ｓ１１６）。そこで、まだＮ＝１なので空気ファン２４の操作開度Ｆを基準着火開度Ｖの１．２倍に再び調節してパージを行う（Ｓ１０２／Ｓ１０３）。その後、前回と同じように、図３のタイムチャートに示すように、トランス出力によるスパーク動作とガス流調弁２３を開いた燃焼用燃料の供給が行われ、基準着火開度Ｖの上下２０パーセントの操作幅内で空気流量の調整が行われる（Ｓ１０５〜Ｓ１１１）。そして、２回目でも着火しなかった場合いは、もう一度繰り返し数Ｎに１プラスして（Ｓ１１５）、３回目の操作がおなじように行われる（Ｓ１０２〜Ｓ１１１）。
【００３０】
一方、基準着火開度Ｖの上下２０パーセントの操作幅内で操作開度Ｆを変化させたときに着火が確認された場合には（Ｓ１１１：ＹＥＳ／Ｓ１１３：ＹＥＳ）、その操作開度Ｆが基準着火開度Ｖとしてコントローラ２１の記憶装置に更新して記憶される（Ｓ１１７／Ｓ１１８）。着火が生じるとバーナ３によって燃焼室５が加熱され、燃焼ガスが排ガス流路７を流れて熱電対１１から検知信号が送られるが、こうした熱電対１１による着火の確認にはほとんどタイムラグがない。そのため、記憶更新された基準着火開度Ｖが、現在の環境下で着火に最も適切な空燃比となるための空気流量を供給するのに好ましい。そして着火が完了し（Ｓ１１９）、続いて暖気モードへと移る（Ｓ１２０）。暖気モードは、燃料改質器１の改質触媒９が反応する６５０℃（定常温度）に上げるための加熱操作である。
【００３１】
そして、同じ操作幅で３回着火動作を繰り返しても着火しなかった場合いは、１プラスされた繰り返し数Ｎが３になるため（Ｓ１１６：ＹＥＳ）、操作開度Ｆの操作幅を更に広げ適切な空燃比のための空気流量を探るようにする。すなわち、空気ファン２４の操作開度Ｆを基準火開度Ｖの上下２０パーセントの操作幅内で変化させていたものを、更に１０パーセント広げて上下３０パーセントの操作幅で変化させるようにする。そこで、C1の値が既に１．３になっていないか確認が行われ（Ｓ１２１）、C1が１．３でなければ（Ｓ１２１：ＮＯ）、開度倍率がC1＝１．３とC2＝０．７に書き換えられるとともに、繰り返し数Ｎが０に戻されてゼロリセットされる（Ｓ１２２）。
【００３２】
開度倍率C1，C2が書き換えられた後は、また同じようにＳ１０２〜Ｓ１１９までの工程が実行され、基準着火開度Ｖの上下３０パーセントの操作幅内で操作開度Ｆを変化させたときの着火の確認が行われる。そして、着火が確認された場合には（Ｓ１１１：ＹＥＳ／Ｓ１１３：ＹＥＳ）、その操作開度Ｆが基準着火開度Ｖとしてコントローラ２１の記憶装置に更新記憶され（Ｓ１１７／Ｓ１１８）、着火が完了して（Ｓ１１９）暖気モードへと移る（Ｓ１２０）。
【００３３】
一方、基準着火開度Ｖの上下３０パーセントで操作開度Ｆを変化させても着火が確認できない場合は（Ｓ１１３：ＮＯ）、同じ操作開度Ｆの可変による着火動作が３回まで繰り返される（Ｓ１１６：ＮＯ）。そして、それでも着火しない場合には（Ｓ１１６：ＹＥＳ）、開度倍率C1は既に１．３に書き換えられているため（Ｓ１２０：ＹＥＳ）、更に操作幅を広げることはせずガス流調弁２３が閉じられる（Ｓ１２３）。その後、流路内のパージが行われ（Ｓ１２４）、空気ファン２４が止められて着火動作が終了する（Ｓ１２５）。この場合は、空燃比の調節以外に何らかの問題があるものと考えられるため、その原因を探る。
【００３４】
よって、本実施形態によれば、空気ファン２４から送り出す空気流量を基準着火開度Ｖの上下２０パーセントなど、所定の操作幅内で変化させ一定の燃料流量との空燃比を調節するようにしたので、着火に適切な空燃比となる空気流量を探し出し、確実に着火させることができるようになった。
特に、先に行われた着火動作の際に着火した時の操作開度Ｆを基準着火開度Ｖとして書き換え、その基準着火開度Ｖを中心にして上下に所定の割合だけ操作幅を広げて開度を操作し空気流量を調節するようにしたので、高い確率で着火させることができるようになった。
【００３５】
また、一つの操作幅内で操作開度Ｆを変化させる着火動作を数回繰り返すようにしたので、適切な空燃比でありながら他の要因によって着火が起きなかった場合でも確実に着火させることができる。
また、操作開度Ｆの操作幅を基準着火開度Ｖの上下２０パーセントから３０パーセントになるように段階的に広げるようにしたので、気温などの違いで着火に適した空燃比となる空気流量が基準着火開度Ｖにおける空気流量と大きくズレてしまっても、着火に適切な空燃比となる空気流量を探し出し、確実に着火させることができるようになった。
【００３６】
ところで、燃焼用燃料として使用される都市ガス１３Ａの質量流量は、ガス流調弁２３の同一開度に対して温度の平方根に逆比例する。その一方で、空気ファン２４から送り出される空気の質量流量は、温度に逆比例する。そのため、温度が上昇すると、ガス流調弁２３の所定の開度によって流れる都市ガス１３Ａの燃料流量に対して空気流量が過少になる。そこで、空気ファン２４の操作開度Ｆを操作幅内で変化させる場合、図４に示したＳ１１０での制御を、温度補正をかけた次式に基づいて行うようにするとよい。
【数２】
2005265272.tif 000004
ここで、Temp１は外気温度であり、293.15は経験値に基づいた値である。
よって、こうして外気温に従って空気ファン２４の開度を温度補正をかけて制御することにより、適切な空燃比となる空気流量を送り込むことができる。
【００３７】
前記実施形態では、操作幅を基準着火開度Ｖの上下２０パーセントおよび３０パーセントにして空気ファン２４の操作開度Ｆを調整した。これは、空気ファン２４やガス流調弁２３の開度が定められても、そこから流れる空気や燃料ガスは気温や圧力などの影響を受けて変化するため、現時点での環境において最も適切な空燃比で着火させようとする制御である。従って、先の運転から余り時間が経過していない場合には、周りの環境も変化が少なく空気流量などを変化もほとんどないと考えられる。そこで、４８時間で間隔を区切り、前回の着火時点から４８時間以内であれば、空気ファン２４の操作開度Ｆの操作幅を基準着火開度Ｖの上下１０パーセントの範囲にするようにした。図５は、この着火制御のフローチャートを示した図である。
【００３８】
先ず、着火指令があると（Ｓ２００）、空気ファン２４の基準着火開度Ｖの他、開度倍率C1，C2、点火時間Ｔなどの初期設定値が読み出される（Ｓ２０１）。開度倍率C1，C2の初期設定値は、「C1＝１．２」で「C2＝０．８」であ。また、初期設定値の読み出し（Ｓ２０１）の際に繰り返し数Ｎは０に設定される。
そして、本実施形態では前回の着火時から４８時間が経過していないかが確認され、経過していない場合には開度倍率C1，C2が「C1＝１．１」「C2＝０．９」に書き換えられる（Ｓ２０２）。その一方で、前回の着火時から４８時間を超えている場合には、開度倍率C1，C2は初期設定である「C1＝１．２」「C2＝０．８」のままで着火が実行される。
【００３９】
着火動作は前記実施形態と同様にして行われる。空気ファン２４の開度が、基準着火開度Ｖに開度倍率C1を掛けた値で調整され（Ｓ２０３）、空気の送り込みによりパージが行われ（Ｓ２０４）、点火トランス２２が作動した後（Ｓ２０５）所定時間間隔をおいて（Ｓ２０６）ガス流調弁２３が開けられる（Ｓ２０７）。そのため、空気が流れる流路３１へ燃焼用燃料が送り込まれ、空気と燃焼用燃料とが混合された予混合ガスがバーナ３の点火部へと送り込まれる。そして、一定時間間隔の後（Ｓ２０８）、時間がカウントされ（Ｓ２０９）、例えば１０秒に設定された点火時間Ｔの間に（Ｓ２１０）空気ファン２４の操作開度Ｆが変更され、バーナ３へ供給される空気流量を徐々に減少させていく（Ｓ２１１）。
【００４０】
ガス流調弁２３を介して供給される燃焼用燃料の流量は一定に保たれている。従って、操作開度Ｆの変更により空気流量を変更させ、バーナ３へ供給される予混合ガスの空燃比を調整する。すなわち、空気ファン２４の操作開度Ｆは、Ｓ２１１に示したＦ＝［C1−（Time／Ｔ）×（C1−C2）］×Ｖの式に従い、また好ましくは前記式（数１）に従って図３に示すように基準着火開度Ｖの上下１０パーセントの間を点火時間Ｔで変化する。
こうして空気ファン２４の操作開度Ｆで空気流量を可変させれば、最も火が着きやすい空燃比の状態で着火する。しかし、点火時間Ｔの間に着火しなかった場合は（Ｓ２１２：ＮＯ／Ｓ２１０：ＹＥＳ）、所定の時間間隔後に（Ｓ２１３）、再び着火確認が行われる（Ｓ２１４）。本実施形態でも一定の操作幅での着火動作（Ｓ２０３〜Ｓ２１４）は３回繰り返えされる（Ｓ２１５〜Ｓ２１７）。
【００４１】
そこで、開度倍率C1，C2が「C1＝１．１」「C2＝０．９」の操作幅で着火しなかった場合には（Ｓ２１７：ＹＥＳ）、開度倍率C1，C2を「C1＝１．２」「C2＝０．８」に書き換えられて着火が実行される（Ｓ２２０：ＮＯ／Ｓ２２１）。そして、この操作幅でも着火動作を３回繰り返して着火しない場合いは、更に開度倍率C1，C2が「C1＝１．３」「C2＝０．７」に書き換えられて着火が実行される（Ｓ２２２：ＮＯ／Ｓ２２３）。このときも着火しない場合いは着火動作が３回繰り返えされ、それでも着火しない場合には（Ｓ２１７：ＹＥＳ／Ｓ２２０：）、ガス流調弁２３を閉じ（Ｓ２２４）、流路内のパージ（Ｓ２２５）の後、空気ファン２４を停止させて着火操作を止める（Ｓ２２６）。この場合は、空燃比の調節以外に何らかの問題があるものと考えられるため、その原因を探る。
【００４２】
一方、開度倍率をC1について１．１〜１．３およびC2について０．９〜０．７に書き換えて空燃比の調整を行う間に着火が確認された場合には（Ｓ２１２：ＹＥＳ／Ｓ２１４：ＹＥＳ）、その操作開度Ｆが基準着火開度Ｖとしてコントローラ２１の記憶装置に記憶するとともに、その着火時刻を記憶する（Ｓ２２７／Ｓ２２８）。この着火時刻をもとにＳ２０２で経過時間が４８時間以内か否かが確認される。そして着火が完了し（Ｓ２２９）、続いて暖気モードへと移る（Ｓ２３０）。
【００４３】
よって、本実施形態によれば、前記実施形態と同様に、空気ファン２４から送り出す空気流量を基準着火開度Ｖの上下１０パーセントなど、所定の操作幅内で変化させ一定の燃料流量との空燃比を調節するようにしたので、着火に適切な空燃比となる空気流量を探し出し、確実に着火させることができるようになった。
特に、基準着火開度Ｖの上下１０パーセントの狭い操作幅内で操作開度を変更させるようにしたので、短時間に効率よく着火を行うことができるようになり、狭い操作幅で操作開度Ｆを変更することにより空気流量の変動幅が小さくなるので、その空気流量のアンダーシュートが起き難くなり、制御しやすくなった。
【００４４】
また、前記実施形態と同じように、先に行われた着火動作の際に着火した時の操作開度Ｆを基準着火開度Ｖとして書き換え、その基準着火開度Ｖを中心にして上下に所定の割合だけ操作幅を広げて開度を操作し空気流量を調節するようにしたので、高い確率で着火させることができるようになった。
また、一つの操作幅内で操作開度Ｆを変化させる着火動作を数回繰り返すようにしたので、適切な空燃比でありながら他の要因によって着火が起きなかった場合でも確実に着火させることができる。
また、操作開度Ｆの操作幅を基準着火開度Ｖの上下２０パーセントから３０パーセントになるように段階的に広げるようにしたので、気温などの違いで着火に適した空燃比となる空気流量が基準着火開度Ｖにおける空気流量と大きくズレてしまっても、着火に適切な空燃比となる空気流量を探し出し、確実に着火させることができるようになった。
【００４５】
次に、バーナが着火した後の暖気運転制御について説明する。図６は、バーナの暖機運転の制御を示したフローチャートである。図４及び図５に示すようにしてバーナ３が着火すると（Ｓ３００）、暖気運転時の空気ファン２４の開度を決定する比例定数Cxが求められる（Ｓ３０１）。比例定数Cxは空気流量と燃焼用燃料である都市ガス１３Ａのガス流量との比であり、先に着火によって書き換えられた操作開度Ｆとその着火動作時におけるガス流調弁２３の弁開度V13Aとの比（Ｆ／V13A）である。
【００４６】
そして、一定時間間隔（１秒や２秒ほど）の後（Ｓ３０２）に、バーナ３によって加熱するための制御目標温度Teが読み出され（Ｓ３０３）、暖気運転の状況が確認される。制御目標温度Teは７００℃であり、これは改質部２の内部に設置された熱電対１３が検出する温度である。燃料改質器１の改質触媒９が６５０℃で反応するため、その温度にまで改質触媒９を加熱するためには壁面温度を７００℃程度にまでする必要があるからである。
【００４７】
熱電対１３によって検出される運転温度をTC2 とし、この温度と材料使用限界温度Tbrkと燃焼補償温度Trefとが比較される（Ｓ３０４／Ｓ３０５）。材料使用限界温度Tbrkは９００℃であり、ステンレスで形成された改質部２に対する破損防止のための温度であり、燃焼補償温度Trefは６００℃であり、失火や不完全燃焼を起こしていないか正常な燃焼が行われているか確認するための温度である。
従って、運転温度TC2 が材料使用限界温度Tbrkを超えた場合や（Ｓ３０４：ＮＯ）、燃焼補償温度Trefを下回っていたような場合には（Ｓ３０５：Ｎ０）、燃料電池システムを停止させる（Ｓ４０１／Ｓ４０２）。
【００４８】
一方、運転温度TC2 が、材料使用限界温度Tbrkより小さく（Ｓ３０４：ＹＥＳ）、燃焼補償温度Tref以上であれば（Ｓ３０５：ＹＥＳ）、次に運転温度TC2 と制御目標温度Teとの差の絶対値が許容温度差Tref内に入っているか否かが確認される（Ｓ３０６）。ここでは許容温度差Trefは１０℃であり、運転温度TC2 が制御目標温度Teとの間でその差が１０℃未満の場合には（Ｓ３０６：ＹＥＳ）、ガス流調弁２３の弁開度V13Aと空気ファン２４の暖気運転開度Vhとをそのままにして暖気運転が続けられる（Ｓ３０２〜Ｓ３０６）。
【００４９】
一方、運転温度TC2 が制御目標温度Teとの間でその差が１０℃以上になった場合には（Ｓ３０６：ＹＥＳ）、運転温度TC2 を制御目標温度Teに近づけるべく演算処理が行われる（Ｓ３０７）。通常、着火直後の暖気モードでは温度が低いため直ちにこのステップに入ることになる。そして、運転温度TC2 と制御目標温度Teとの差から、燃焼用燃料のガス流量を適切な値に修正すべく、ガス流調弁２３の弁開度V13A´が決定され、その制御が行われる。
これにより、バーナ３へはガス流調弁２３の調整された弁開度V′13Aの燃料流量のガスが流される。一方、空気ファン２４の暖気運転開度Vhも、この弁開度V′13Aの流量に応じて次式に基づいて調整される。
Vh＝α・Cx・V′13A
なお、比例定数αは経験から１．１〜１．４程度が好ましい。
【００５０】
こうして、着火後の暖気運転では着火時に比べて空気ファン２４の開度Ｖを大きくし、燃料流量に対する空気流量の割合を増やす。バーナ３は、着火段階では燃料流量と空気流量の比を当量比に近くした方が着火しやすいが、暖機モードのように連続燃焼する場合には、燃料流量に対する空気流量の割合を当量比よりも大きくした方が良好な燃焼状態が得られるからである。
よって、こうした暖気モードは燃料改質器１の改質触媒９が反応する６５０℃（定常温度）に上げるための加熱であり、通常１時間くらいかかてしまうが、着火時に得られた操作開度Ｆの値を暖気モードを利用して暖気運転開度Vhを決定するようにしたので、燃焼効率がいい空燃比を得ることで燃費がよくなる。
【００５１】
以上、本発明に係るバーナ着火システム及びその着火制御方法の一実施形態について説明したが、本発明はこれに限定されることなく、その趣旨を逸脱しない範囲で様々な変更が可能である。
例えば、着火の確認などのために熱電対１１を使用したが、例えば紫外線による火炎の検知や火炎電流を見るフレームロッドを使用するようにしてもよい。
また、送風機として空気ファンを例に挙げ、その開閉機構の開閉度によって空気流量を調節するようにしたが、例えば回転数を変化させることによって空気流量を調節するようにしてもよい。
【図面の簡単な説明】
【００５２】
【図１】バーナを備えた燃料改質器を示した概念図である。
【図２】バーナの着火制御システムを示したブロック図である。
【図３】バーナ着火システムにおいて実行される着火制御方法を概念的に示した図である。
【図４】バーナ着火システムの着火制御方法について示したフローチャート図である。
【図５】バーナ着火システムの他の着火制御方法について示したフローチャート図である。
【図６】バーナ着火システムの暖機運転制御を示したフローチャート図である。
【符号の説明】
【００５３】
１    燃料改質器
２    改質部
３    バーナ
７    排ガス流路
１１  熱電対
１２  点火プラグ
１３  熱電対
２１  コントローラ
２２  点火トランス
２３  ガス流調弁
２４  空気ファン
【図１】
2005265272.tif 000005
【図２】
2005265272.tif 000006
【図３】
2005265272.tif 000007
【図４】
2005265272.tif 000008
【図５】
2005265272.tif 000009
【図６】
2005265272.tif 000010